(57)【要約】【課題】本発明は検査測定機能を持つ農用の用量正確な施肥装置をを提供した。【解決手段】ベース及び回転軸によって前記ベースと回転できるように連結された支持ロッドを含み、前記支持ロッドの中には検査測定機構と混合機構とが設置され、前記支持ロッドの外側には散布機構が設置されており、前記散布機構は前記支持ロッドの片側端面に固定的に設置された固定ロッドを含み、本装置は天気を検査測定し、風や雨の日に、本装置は農薬を散布することがしなく、天気がよくなる時に、本装置は自動的に肥料を配合製造し、人によって配合製造の時の比例の正確性をおおきに高め、また配合製造が終わった後に肥料を自動的に散布し、肥料をやる効率を大いに高め、施肥の効果を保証する。【選択図】図１
2020182437.tif 000002
【特許請求の範囲】
【請求項１】
正面視で、ベース及び回転軸によって前記ベースと回転できるように連結された支持ロッドを含み、前記支持ロッドの中には検査測定機構と混合機構とが設置され、前記支持ロッドの外側には散布機構が設置されており、
前記散布機構は前記支持ロッドの片側端面に固定的に設置された固定ロッドを含み、前記固定ロッドの中には空きチャンバが設置され、前記固定ロッドの下端面には前記空きチャンバと連通している噴出口が固定的に設置され、前記噴出口は少なくとも一つ設置されており、
前記検査測定機構は前記支持ロッドの中に設置され、且つ上方に開口した水受け溝を含み、前記支持ロッドの中には前記水受け溝と連通した羽根車チャンバが設置され、前記羽根車チャンバの中には羽根軸が回転できるように設置され、前記羽根軸には羽根が固定的に設置され、前記支持ロッドの中には検査測定チャンバが設置され、前記検査測定チャンバの後壁には回転軸が左右対称的に回転できるように設置され、前記回転軸には回転盤が固定的に設置され、前記検査測定チャンバの後壁の中には上スライド溝が左右対称的に形成されており、前記上スライド溝の中にはスライドブロックがスライドできるように設置され、前記スライドブロックと前記回転盤との間にはヒンジロッドがヒンジで連結され、前記検査測定チャンバの後壁の中には下スライド溝が左右対称的に形成されており、前記下スライド溝の中にはスライド板がスライドできるように設置され、前記下スライド溝の底壁にはセンサーが固定的に設置され、前記スライド板と前記センサーとの間にはバネが連結され、右側の前記回転軸と前記羽根軸との間は伝動ベルトプーリによって伝動できるように連結され、前記支持トッドの中には四周が穴を開けたファンチャンバが設置され、前記ファンチャンバの頂壁にはファン軸が回転できるように設置され、前記ファン軸の外周面にはファンが固定的に設置され、前記ファン軸の下端には前記検査測定チャンバの中に伸びているギヤ軸が連結され、前記ギヤ軸の下端にはベベルギヤが固定的に設置され、左側の前記回転盤の外側レースには前記ベベルギヤと噛み合える歯が設置され、風や雨の時、前記スライドブロックは前記センサーを絶えずに押圧し、
前記混合装置は前記支持ロッドの中に設置された肥料チャンバと、農薬チャンバと、混合チャンバとを含み、前記支持ロッドの中にはバルブ機構が設置され、前記バルブ機構は前記センサーと通電できるように連結されたバルブモーターを含み、前記バルブモーターは前記センサーの中でしばらく前記スライドブロックによって押圧されない時に始動され、前記バルブモーターが始動された後に、前記肥料チャンバの中の肥料と前記農薬チャンバの中の農薬とが一定の比率で前記混合チャンバの中に入り、また一定の水を入れて混合し、
前記混合チャンバの中にはウォーターポンプが設置され、前記ウォーターポンプは連通チャンバによって前記空きチャンバと連通していることを特徴とする検査測定機能を持つ農用の用量正確な施肥装置。
【請求項２】
前記バルブ機構は前記支持ロッドの中に設置されたバルブチャンバを含み、前記バルブチャンバはそれぞれ前記肥料チャンバと前記混合チャンバと、前記農薬チャンバと前記混合チャンバとに連通し、前記バルブチャンバの中には環状バルブがスライドできるように設置され、前記環状バルブの中には前後に貫通した連通穴が設置され、前記支持ロッドの中には前記混合チャンバの前側に位置している連通溝が形成されており、前記支持ロッドの中にはモーターチャンバが設置され、前記バルブモーターが前記モーターチャンバの中に設置され、前記バルブモーターの上側には伝動板が動力軸によって連結され、前記伝動板と前記環状バルブとの間は伝動リングによって連結されていることを特徴とする請求項１に記載の検査測定機能を持つ農用の用量正確な施肥装置。
【請求項３】
前記支持ロッドの中には外側に開口した水入りチャンバが設置され、前記水入りチャンバと前記連通溝とが連通しており、前記水入りチャンバの上下壁の間には環状密封板がスライドできるように設置され、前記環状密封板の中には水入りパイプが固定的に連結されていることを特徴とする請求項１に記載の検査測定機能を持つ農用の用量正確な施肥装置。
【請求項４】
前記ベースの中には回転モーターが設置され、前記回転モーターと前記回転軸とが動力が伝達できるように連結されていることを特徴とする請求項１に記載の検査測定機能を持つ農用の用量正確な施肥装置。
【請求項５】
前記肥料チャンバの内壁の中には第一追加注入口が設置されていることを特徴とする請求項１に記載の検査測定機能を持つ農用の用量正確な施肥装置。
【請求項６】
前記農薬チャンバの内壁の中には第二追加注入口が設置されていることを特徴とする請求項１に記載の検査測定機能を持つ農用の用量正確な施肥装置。
【請求項７】
前記羽根車チャンバの一端が外部空間に連通しており、且つ連通したところには流れガイド板が固定的に設置されていることを特徴とする請求項１に記載の検査測定機能を持つ農用の用量正確な施肥装置。
【請求項８】
前記肥料チャンバの中には透明ガラス板が設置され、前記透明ガラス板によって前記肥料チャンバの中に残った肥料を観察できることを特徴とする請求項１に記載の検査測定機能を持つ農用の用量正確な施肥装置。
【発明の詳細な説明】
【技術分野】
【０００１】
本発明は検査測定機能を持つ農用の用量正確な施肥装置であり、主には農業技術分野に関わる。
【背景技術】
【０００２】
肥料の溶液を散布する方法を利用し、植物に葉っぱを通して栄養元素を獲得させる措置は葉面施肥と呼ばれ、葉面が吸収することを目的とし、農作物所要の養分を直接に葉面に散布される肥料は、葉面肥料と呼ばれ、葉面施肥は栄養素を葉っぱから直接に内部に入らせ、作物の新陳代謝と有機物の合成過程に参加し、従って土壌肥料より効果的である。葉面施肥を行う時、風や雨のない日を選ぶべきであり、しかも葉面肥料の濃度は直接に散布の効果に関わり、溶液の濃度が高すぎると、散布された後に作物の葉っぱをやけどしやすく、溶液の濃度は低すぎると、仕事量は増え、且つ作物に栄養を補充する要求を満たせなく、伝統的な肥料の配合製造は人によって操作されるので、用量を正確にするのは難しい。また、仮に施肥の時に、農作物は病害にかかり又は虫害が発生する時に、農薬と葉面肥料とを混合する必要があり、この時に人はその溶液を不適当に散布すると、作物が中毒するリスクがあり、上記の欠点に対して、本発明を改善した。
【先行技術文献】
【特許文献】
【０００３】
【特許文献１】中国特許出願公開第１０７８２０８２４号明細書
【発明の概要】
【発明が解決しようとする課題】
【０００４】
本発明の解決しようとする技術的問題は検査測定機能を持つ農用の用量正確な施肥装置を提供し、それは伝統的な施肥は人によって肥料を配合製造して用量を正確にしにくい問題を解決し、同時に本発明は自動的に施肥することを実現できる。
【課題を解決するための手段】
【０００５】
本発明は以下の技術プランによって実現される。
【０００６】
本発明の検査測定機能を持つ農用の用量正確な施肥装置は、ベース及び回転軸によって前記ベースと回転できるように連結された支持ロッドを含み、前記支持ロッドの中には検査測定機構と混合機構とが設置され、前記支持ロッドの外側には散布機構が設置されている。
【０００７】
前記散布機構は前記支持ロッドの片側端面に固定的に設置された固定ロッドを含み、前記固定ロッドの中には空きチャンバが設置され、前記固定ロッドの下端面には前記空きチャンバと連通している噴出口が固定的に設置され、前記噴出口は少なくとも一つ設置されている。
【０００８】
前記検査測定機構は前記支持ロッドの中に設置され、且つ上方に開口した水受け溝を含み、前記支持ロッドの中には前記水受け溝と連通した羽根車チャンバが設置され、前記羽根車チャンバの中には羽根軸が回転できるように設置され、前記羽根軸には羽根が固定的に設置され、前記支持ロッドの中には検査測定チャンバが設置され、前記検査測定チャンバの後壁には回転軸が左右対称的に回転できるように設置され、前記回転軸には回転盤が固定的に設置され、前記検査測定チャンバの後壁の中には上スライド溝が左右対称的に形成されており、前記上スライド溝の中にはスライドブロックがスライドできるように設置され、前記スライドブロックと前記回転盤との間にはヒンジロッドがヒンジで連結され、前記検査測定チャンバの後壁の中には下スライド溝が左右対称的に形成されており、前記下スライド溝の中にはスライド板がスライドできるように設置され、前記下スライド溝の底壁にはセンサーが固定的に設置され、前記スライド板と前記センサーとの間にはバネが連結され、右側の前記回転軸と前記羽根軸との間は伝動ベルトプーリによって伝動できるように連結され、前記支持トッドの中には四周が穴を開けたファンチャンバが設置され、前記ファンチャンバの頂壁にはファン軸が回転できるように設置され、前記ファン軸の外周面にはファンが固定的に設置され、前記ファン軸の下端には前記検査測定チャンバの中に伸びているギヤ軸が連結され、前記ギヤ軸の下端にはベベルギヤが固定的に設置され、左側の前記回転盤の外側レースには前記ベベルギヤと噛み合える歯が設置され、風や雨の時、前記スライドブロックは前記センサーを絶えずに押圧する。
【０００９】
前記混合装置は前記支持ロッドの中に設置された肥料チャンバと、農薬チャンバと、混合チャンバとを含み、前記支持ロッドの中にはバルブ機構が設置され、前記バルブ機構は前記センサーと通電できるように連結されたバルブモーターを含み、前記バルブモーターは前記センサーの中でしばらく前記スライドブロックによって押圧されない時に始動され、前記バルブモーターが始動された後に、前記肥料チャンバの中の肥料と前記農薬チャンバの中の農薬とが一定の比率で前記混合チャンバの中に入り、また一定の水を入れて混合する。
【００１０】
前記混合チャンバの中にはウォーターポンプが設置され、前記ウォーターポンプは連通チャンバによって前記空きチャンバと連通している。
【００１１】
さらに、前記バルブ機構は前記支持ロッドの中に設置されたバルブチャンバを含み、前記バルブチャンバはそれぞれ前記肥料チャンバと前記混合チャンバと、前記農薬チャンバと前記混合チャンバとに連通し、前記バルブチャンバの中には環状バルブがスライドできるように設置され、前記環状バルブの中には前後に貫通した連通穴が設置され、前記支持ロッドの中には前記混合チャンバの前側に位置している連通溝が形成されており、前記支持ロッドの中にはモーターチャンバが設置され、前記バルブモーターが前記モーターチャンバの中に設置され、前記バルブモーターの上側には伝動板が動力軸によって連結され、前記伝動板と前記環状バルブとの間は伝動リングによって連結されている。
【００１２】
さらに、前記支持ロッドの中には外側に開口した水入りチャンバが設置され、前記水入りチャンバと前記連通溝とが連通しており、前記水入りチャンバの上下壁の間には環状密封板がスライドできるように設置され、前記環状密封板の中には水入りパイプが固定的に連結されている。
【００１３】
さらに、前記ベースの中には回転モーターが設置され、前記回転モーターと前記回転軸とが動力が伝達できるように連結されている。
【００１４】
さらに、前記肥料チャンバの内壁の中には第一追加注入口が設置されている。
【００１５】
さらに、前記農薬チャンバの内壁の中には第二追加注入口が設置されている。
【００１６】
前記羽根車チャンバの一端が外部空間に連通しており、且つ連通したところには流れガイド板が固定的に設置されている。
【００１７】
前記肥料チャンバの中には透明ガラス板が設置され、前記透明ガラス板によって前記肥料チャンバの中に残った肥料を観察できる。
【発明の効果】
【００１８】
本発明の有益な効果は：肥料をやる時、本装置は天気を検査測定し、風や雨の日に、本装置は農薬を散布することがしなく、天気がよくなる時に、本装置は自動的に肥料を配合製造し、人によって配合製造の時の比例の正確性をおおきに高め、また配合製造が終わった後に肥料を自動的に散布し、肥料をやる効率を大いに高め、施肥の効果を保証する。
【図面の簡単な説明】
【００１９】
発明の実施例または既存の技術の中の技術方案をより詳しく説明できるため、以下は実施例または既存の技術を説明することに必要な付図に対して簡単な紹介を行い、明らかなように、以下の付図はただ発明の一部の実施例であり、当業者にとって、創造的な労働を払わなくても、これらの付図に基づいて他の付図を獲得することができる。下記に図１〜６をあわせて本発明について詳しく説明し、便利に説明するために、下記の方向を以下のように規定する：図１は本発明装置の正面図であり、以下に述べる上下左右前後の方向と図１の自身投影関係の上下左右前後の方向とが一致である。
【００２０】
【図１】図１は本発明の全体構成概略図
【図２】図２は図１の中のＡ―Ａのところの構成概略図
【図３】図３は図１の中のＢ―Ｂのところの構成概略図
【図４】図４は図１の中のＣ―Ｃのところの構成概略図
【図５】図５は図１の中のＤ―Ｄのところの構成概略図
【図６】図６は図１の中のＥのところの構成拡大概略図
【発明を実施するための形態】
【００２１】
図１〜６を合わせて上記の検査測定機能を持つ農用の用量正確な施肥装置は、主にベース１０及び回転軸１２によって前記ベース１０と回転できるように連結された支持ロッド２８を含み、前記支持ロッド２８の中には検査測定機構１００と混合機構３００とが設置され、前記支持ロッド２８の外側には散布機構２００が設置されている。
【００２２】
前記散布機構２００は前記支持ロッドの片側端面に固定的に設置された固定ロッド３０を含み、前記固定ロッド３０の中には空きチャンバ３２が設置され、前記固定ロッド３０の下端面には前記空きチャンバ３２と連通している噴出口３１が固定的に設置され、前記噴出口３１は少なくとも一つ設置されている。
【００２３】
前記検査測定機構１００は前記支持ロッド２８の中に設置され、且つ上方に開口した水受け溝３３を含み、前記支持ロッド２８の中には前記水受け溝３３と連通した羽根車チャンバ２７が設置され、前記羽根車チャンバ２７の中には羽根軸４６が回転できるように設置され、前記羽根軸４６には羽根４５が固定的に設置され、前記支持ロッド２８の中には検査測定チャンバ３７が設置され、前記検査測定チャンバ３７の後壁には回転軸２４が左右対称的に回転できるように設置され、前記回転軸２４には回転盤２２が固定的に設置され、前記検査測定チャンバ３７の後壁の中には上スライド溝５６が左右対称的に形成されており、前記上スライド溝５６の中にはスライドブロック５１がスライドできるように設置され、前記スライドブロック５１と前記回転盤２２との間にはヒンジロッド３８がヒンジで連結され、前記検査測定チャンバ３７の後壁の中には下スライド溝５３が左右対称的に形成されており、前記下スライド溝５３の中にはスライド板５２がスライドできるように設置され、前記下スライド溝５３の底壁にはセンサー５４が固定的に設置され、前記スライド板５２と前記センサー５４との間にはバネ５５が連結され、右側の前記回転軸２４と前記羽根軸４６との間は伝動ベルトプーリ５０によって伝動できるように連結され、前記支持トッド２８の中には四周が穴を開けたファンチャンバ２５が設置され、前記ファンチャンバ２５の頂壁にはファン軸３４が回転できるように設置され、前記ファン軸３４の外周面にはファン２６が固定的に設置され、前記ファン軸３４の下端には前記検査測定チャンバ３７の中に伸びているギヤ軸３５が連結され、前記ギヤ軸３５の下端にはベベルギヤ３６が固定的に設置され、左側の前記回転盤２２の外側レースには前記ベベルギヤ３６と噛み合える歯が設置され、風や雨の時、前記スライドブロック５１は前記センサー５４を絶えずに押圧する。
【００２４】
前記混合装置３００は前記支持ロッド２８の中に設置された肥料チャンバ２１と、農薬チャンバ４０と、混合チャンバ４１とを含み、前記支持ロッド２８の中にはバルブ機構４００が設置され、前記バルブ機構４００は前記センサー５４と通電できるように連結されたバルブモーター１６を含み、前記バルブモーター１６は前記センサー５４の中でしばらく前記スライドブロック５１によって押圧されない時に始動され、前記バルブモーター１６が始動された後に、前記肥料チャンバ２１の中の肥料と前記農薬チャンバ４０の中の農薬とが一定の比率で前記混合チャンバ４１の中に入り、また一定の水を入れて混合する。
【００２５】
前記混合チャンバ４１の中にはウォーターポンプ４４が設置され、前記ウォーターポンプ４４は連通チャンバ２９によって前記空きチャンバ３２と連通している。
【００２６】
前記バルブ機構４００は前記支持ロッド２８の中に設置されたバルブチャンバ２０を含み、前記バルブチャンバ２０はそれぞれ前記肥料チャンバ２１と前記混合チャンバ４１と、前記農薬チャンバ４０と前記混合チャンバ４１とに連通し、前記バルブチャンバ２０の中には環状バルブ１９がスライドできるように設置され、前記環状バルブ１９の中には前後に貫通した連通穴４８が設置され、前記支持ロッド２８の中には前記混合チャンバ４１の前側に位置している連通溝４９が形成されており、前記支持ロッド２８の中にはモーターチャンバ１７が設置され、前記バルブモーター１６が前記モーターチャンバ１７の中に設置され、前記バルブモーター１６の上側には伝動板１８が動力軸１５によって連結され、前記伝動板１８と前記環状バルブ１９との間は伝動リング４３によって連結されている。
【００２７】
前記支持ロッド２８の中には外側に開口した水入りチャンバ１４が設置され、前記水入りチャンバ１４と前記連通溝４９とが連通しており、前記水入りチャンバ１４の上下壁の間には環状密封板１３がスライドできるように設置され、前記環状密封板１３の中には水入りパイプ４２が固定的に連結されている。
【００２８】
前記ベース１０の中には回転モーター１１が設置され、前記回転モーター１１と前記回転軸１２とが動力が伝達できるように連結されている。
【００２９】
前記肥料チャンバ２１の内壁の中には第一追加注入口２３が設置されている。
【００３０】
前記農薬チャンバ４０の内壁の中には第二追加注入口３９が設置されている。
【００３１】
前記羽根車チャンバ２７の一端が外部空間に連通しており、且つ連通したところには流れガイド板４７が固定的に設置されている。
【００３２】
前記肥料チャンバ２１の中には透明ガラス板５７が設置され、前記透明ガラス板５７によって前記肥料チャンバ２１の中に残った肥料を観察できる。
【００３３】
装置全体の機械的作動の順序は：
【００３４】
１、 本装置にタイミング設定を設置し、指定された時間に達した後、本装置は通電し、前記検査測定機構１００は環境を検査測定する。
【００３５】
２、前記センサー５４がしばらく前記スライド板５２と接触しなければ、天気の条件は要求を満たし、前記バルブモーター１６を始動し、それによって前記環状バルブ１９が回転し、前記連通穴４８によって前記農薬チャンバ４０と、前記肥料チャンバ２１と、前記連通溝４９とに順次に連通し、肥料と、農薬と水とは前記混合チャンバ４１の中で混合される。
【００３６】
３、しばらくして、前記ウォーターポンプ４４を始動し、混合された肥料溶液を前記噴出口３１によって噴き出す。
【００３７】
４、前記回転モーター１１が始動されて前記支持ロッド２８を回転連動させ、前記固定ロッド３０の長さに等しい半径内の農作物を全部覆うことを実現する。
【００３８】
５、仮に風や雨の日に、前記ファン２６が回転し又は前記羽根軸４６が回転することによって、前記スライド板５２が前記センサー５４と接触し続け、この時に前記バルブモーター１６を始動することはできなく、天気がよくなった時に自動的に前記バルブモーター１６が始動されることができる。
【００３９】
上記の実施例は本発明の技術的構想と特徴を説明するだけであり、その目的は当業者に本発明内容を了解させてさらに実施させるのであり、本発明の保護範囲を制限することはできない。本発明の精神の実質に基づいて行われたすべての等価的な変化又は修飾は、本発明の保護範囲の中に含むべきである。
【図１】
2020182437.tif 000003
【図２】
2020182437.tif 000004
【図３】
2020182437.tif 000005
【図４】
2020182437.tif 000006
【図５】
2020182437.tif 000007
【図６】
2020182437.tif 000008
【手続補正書】
【提出日】令和2年1月10日(2020.1.10)
【手続補正１】
【補正対象書類名】特許請求の範囲
【補正対象項目名】全文
【補正方法】変更
【補正の内容】
【特許請求の範囲】
【請求項１】
正面視で、ベース及び旋転軸によって前記ベースと回転できるように連結された支持ロッドを含み、前記支持ロッドの中には検査測定機構と混合機構とが設置され、前記支持ロッドの外側には散布機構が設置されており、前記散布機構は前記支持ロッドの片側端面に固定的に設置された固定ロッドを含み、前記固定ロッドの中には空きチャンバが設置され、前記固定ロッドの下端面には前記空きチャンバと連通している噴出口が固定的に設置され、前記噴出口は少なくとも一つ設置されており、前記検査測定機構は前記支持ロッドの中に設置され、且つ上方に開口した水受け溝を含み、前記支持ロッドの中には前記水受け溝と連通した羽根車チャンバが設置され、前記羽根車チャンバの中には羽根軸が回転できるように設置され、前記羽根軸には羽根が固定的に設置され、前記支持ロッドの中には検査測定チャンバが設置され、前記検査測定チャンバの後壁には回転軸が左右対称的に回転できるように設置され、前記回転軸には回転盤が固定的に設置され、前記検査測定チャンバの後壁の中には上スライド溝が左右対称的に形成されており、前記上スライド溝の中にはスライドブロックがスライドできるように設置され、前記スライドブロックと前記回転盤との間にはヒンジロッドがヒンジで連結され、前記検査測定チャンバの後壁の中には下スライド溝が左右対称的に形成されており、前記下スライド溝の中にはスライド板がスライドできるように設置され、前記下スライド溝の底壁にはセンサーが固定的に設置され、前記スライド板と前記センサーとの間にはバネが連結され、右側の前記回転軸と前記羽根軸との間は伝動ベルトプーリによって伝動できるように連結され、前記支持ロッドの中には四周が穴を開けたファンチャンバが設置され、前記ファンチャンバの頂壁にはファン軸が回転できるように設置され、前記ファン軸の外周面にはファンが固定的に設置され、前記ファン軸の下端には前記検査測定チャンバの中に伸びているギヤ軸が連結され、前記ギヤ軸の下端にはベベルギヤが固定的に設置され、左側の前記回転盤の外側レースには前記ベベルギヤと噛み合える歯が設置され、風や雨の時、前記スライドブロックは前記センサーを絶えずに押圧し、前記混合機構は前記支持ロッドの中に設置された肥料チャンバと、農薬チャンバと、混合チャンバとを含み、前記支持ロッドの中にはバルブ機構が設置され、前記バルブ機構は前記センサーと通電できるように連結されたバルブモーターを含み、前記バルブモーターはしばらく前記スライドブロックと接触しないと作動し、前記バルブモーターが始動された後に、前記肥料チャンバの中の肥料と前記農薬チャンバの中の農薬とが一定の比率で前記混合チャンバの中に入り、また一定の水を入れて混合し、前記混合チャンバの中にはウォーターポンプが設置され、前記ウォーターポンプは連通チャンバによって前記空きチャンバと連通していることを特徴とする検査測定機能を持つ農用の用量正確な施肥装置。
【請求項２】
前記バルブ機構は前記支持ロッドの中に設置されたバルブチャンバを含み、前記バルブチャンバはそれぞれ前記肥料チャンバと前記混合チャンバと、前記農薬チャンバと前記混合チャンバとに連通し、前記バルブチャンバの中には環状バルブがスライドできるように設置され、前記環状バルブの中には前後に貫通した連通穴が設置され、前記支持ロッドの中には前記混合チャンバの前側に位置している連通溝が形成されており、前記支持ロッドの中にはモーターチャンバが設置され、前記バルブモーターが前記モーターチャンバの中に設置され、前記バルブモーターの上側には伝動板が動力軸によって連結され、前記伝動板と前記環状バルブとの間は伝動リングによって連結されていることを特徴とする請求項１に記載の検査測定機能を持つ農用の用量正確な施肥装置。
【請求項３】
前記支持ロッドの中には外側に開口した水入りチャンバが設置され、前記水入りチャンバと前記連通溝とが連通しており、前記水入りチャンバの上下壁の間には環状密封板がスライドできるように設置され、前記環状密封板の中には水入りパイプが固定的に連結されていることを特徴とする請求項１に記載の検査測定機能を持つ農用の用量正確な施肥装置。
【請求項４】
前記ベースの中には回転モーターが設置され、前記回転モーターと前記旋転軸とが動力が伝達できるように連結されていることを特徴とする請求項１に記載の検査測定機能を持つ農用の用量正確な施肥装置。
【請求項５】
前記肥料チャンバの内壁の中には第一追加注入口が設置されていることを特徴とする請求項１に記載の検査測定機能を持つ農用の用量正確な施肥装置。
【請求項６】
前記農薬チャンバの内壁の中には第二追加注入口が設置されていることを特徴とする請求項１に記載の検査測定機能を持つ農用の用量正確な施肥装置。
【請求項７】
前記羽根車チャンバの一端が外部空間に連通しており、且つ連通したところには流れガイド板が固定的に設置されていることを特徴とする請求項１に記載の検査測定機能を持つ農用の用量正確な施肥装置。
【請求項８】
前記肥料チャンバの中には透明ガラス板が設置され、前記透明ガラス板によって前記肥料チャンバの中に残った肥料を観察できることを特徴とする請求項１に記載の検査測定機能を持つ農用の用量正確な施肥装置。
【手続補正２】
【補正対象書類名】明細書
【補正対象項目名】全文
【補正方法】変更
【補正の内容】
【発明の詳細な説明】
【技術分野】
【０００１】
本発明は検査測定機能を持つ農用の用量正確な施肥装置であり、主には農業技術分野に関わる。
【背景技術】
【０００２】
肥料の溶液を散布する方法を利用し、植物に葉っぱを通して栄養元素を獲得させる措置は葉面施肥と呼ばれ、葉面が吸収することを目的とし、農作物所要の養分を直接に葉面に散布される肥料は、葉面肥料と呼ばれ、葉面施肥は栄養素を葉っぱから直接に内部に入らせ、作物の新陳代謝と有機物の合成過程に参加し、従って土壌肥料より効果的である。葉面施肥を行う時、風や雨のない日を選ぶべきであり、しかも葉面肥料の濃度は直接に散布の効果に関わり、溶液の濃度が高すぎると、散布された後に作物の葉っぱをやけどしやすく、溶液の濃度は低すぎると、仕事量は増え、且つ作物に栄養を補充する要求を満たせなく、伝統的な肥料の配合製造は人によって操作されるので、用量を正確にするのは難しい。また、仮に施肥の時に、農作物は病害にかかり又は虫害が発生する時に、農薬と葉面肥料とを混合する必要があり、この時に人はその溶液を不適当に散布すると、作物が中毒するリスクがあり、上記の欠点に対して、本発明を改善した。
【先行技術文献】
【特許文献】
【０００３】
【特許文献１】中国特許出願公開第１０７８２０８２４号明細書
【発明の概要】
【発明が解決しようとする課題】
【０００４】
本発明の解決しようとする技術的問題は検査測定機能を持つ農用の用量正確な施肥装置を提供し、それは伝統的な施肥は人によって肥料を配合製造して用量を正確にしにくい問題を解決し、同時に本発明は自動的に施肥することを実現できる。
【課題を解決するための手段】
【０００５】
本発明は以下の技術プランによって実現される。
【０００６】
本発明の検査測定機能を持つ農用の用量正確な施肥装置は、ベース及び旋転軸によって前記ベースと回転できるように連結された支持ロッドを含み、前記支持ロッドの中には検査測定機構と混合機構とが設置され、前記支持ロッドの外側には散布機構が設置されている。
【０００７】
前記散布機構は前記支持ロッドの片側端面に固定的に設置された固定ロッドを含み、前記固定ロッドの中には空きチャンバが設置され、前記固定ロッドの下端面には前記空きチャンバと連通している噴出口が固定的に設置され、前記噴出口は少なくとも一つ設置されている。
【０００８】
前記検査測定機構は前記支持ロッドの中に設置され、且つ上方に開口した水受け溝を含み、前記支持ロッドの中には前記水受け溝と連通した羽根車チャンバが設置され、前記羽根車チャンバの中には羽根軸が回転できるように設置され、前記羽根軸には羽根が固定的に設置され、前記支持ロッドの中には検査測定チャンバが設置され、前記検査測定チャンバの後壁には回転軸が左右対称的に回転できるように設置され、前記回転軸には回転盤が固定的に設置され、前記検査測定チャンバの後壁の中には上スライド溝が左右対称的に形成されており、前記上スライド溝の中にはスライドブロックがスライドできるように設置され、前記スライドブロックと前記回転盤との間にはヒンジロッドがヒンジで連結され、前記検査測定チャンバの後壁の中には下スライド溝が左右対称的に形成されており、前記下スライド溝の中にはスライド板がスライドできるように設置され、前記下スライド溝の底壁にはセンサーが固定的に設置され、前記スライド板と前記センサーとの間にはバネが連結され、右側の前記回転軸と前記羽根軸との間は伝動ベルトプーリによって伝動できるように連結され、前記支持ロッドの中には四周が穴を開けたファンチャンバが設置され、前記ファンチャンバの頂壁にはファン軸が回転できるように設置され、前記ファン軸の外周面にはファンが固定的に設置され、前記ファン軸の下端には前記検査測定チャンバの中に伸びているギヤ軸が連結され、前記ギヤ軸の下端にはベベルギヤが固定的に設置され、左側の前記回転盤の外側レースには前記ベベルギヤと噛み合える歯が設置され、風や雨の時、前記スライドブロックは前記センサーを絶えずに押圧する。
【０００９】
前記混合機構は前記支持ロッドの中に設置された肥料チャンバと、農薬チャンバと、混合チャンバとを含み、前記支持ロッドの中にはバルブ機構が設置され、前記バルブ機構は前記センサーと通電できるように連結されたバルブモーターを含み、前記バルブモーターはしばらく前記スライドブロックと接触しないと作動し、前記バルブモーターが始動された後に、前記肥料チャンバの中の肥料と前記農薬チャンバの中の農薬とが一定の比率で前記混合チャンバの中に入り、また一定の水を入れて混合する。
【００１０】
前記混合チャンバの中にはウォーターポンプが設置され、前記ウォーターポンプは連通チャンバによって前記空きチャンバと連通している。
【００１１】
さらに、前記バルブ機構は前記支持ロッドの中に設置されたバルブチャンバを含み、前記バルブチャンバはそれぞれ前記肥料チャンバと前記混合チャンバと、前記農薬チャンバと前記混合チャンバとに連通し、前記バルブチャンバの中には環状バルブがスライドできるように設置され、前記環状バルブの中には前後に貫通した連通穴が設置され、前記支持ロッドの中には前記混合チャンバの前側に位置している連通溝が形成されており、前記支持ロッドの中にはモーターチャンバが設置され、前記バルブモーターが前記モーターチャンバの中に設置され、前記バルブモーターの上側には伝動板が動力軸によって連結され、前記伝動板と前記環状バルブとの間は伝動リングによって連結されている。
【００１２】
さらに、前記支持ロッドの中には外側に開口した水入りチャンバが設置され、前記水入りチャンバと前記連通溝とが連通しており、前記水入りチャンバの上下壁の間には環状密封板がスライドできるように設置され、前記環状密封板の中には水入りパイプが固定的に連結されている。
【００１３】
さらに、前記ベースの中には回転モーターが設置され、前記回転モーターと前記旋転軸とが動力が伝達できるように連結されている。
【００１４】
さらに、前記肥料チャンバの内壁の中には第一追加注入口が設置されている。
【００１５】
さらに、前記農薬チャンバの内壁の中には第二追加注入口が設置されている。
【００１６】
前記羽根車チャンバの一端が外部空間に連通しており、且つ連通したところには流れガイド板が固定的に設置されている。
【００１７】
前記肥料チャンバの中には透明ガラス板が設置され、前記透明ガラス板によって前記肥料チャンバの中に残った肥料を観察できる。
【発明の効果】
【００１８】
本発明の有益な効果は：肥料をやる時、本装置は天気を検査測定し、風や雨の日に、本装置は農薬を散布することがしなく、天気がよくなる時に、本装置は自動的に肥料を配合製造し、人によって配合製造の時の比例の正確性をおおきに高め、また配合製造が終わった後に肥料を自動的に散布し、肥料をやる効率を大いに高め、施肥の効果を保証する。
【図面の簡単な説明】
【００１９】
発明の実施例または既存の技術の中の技術方案をより詳しく説明できるため、以下は実施例または既存の技術を説明することに必要な付図に対して簡単な紹介を行い、明らかなように、以下の付図はただ発明の一部の実施例であり、当業者にとって、創造的な労働を払わなくても、これらの付図に基づいて他の付図を獲得することができる。下記に図１〜６をあわせて本発明について詳しく説明し、便利に説明するために、下記の方向を以下のように規定する：図１は本発明装置の正面図であり、以下に述べる上下左右前後の方向と図１の自身投影関係の上下左右前後の方向とが一致である。
【００２０】
【図１】図１は本発明の全体構成概略図
【図２】図２は図１の中のＡ―Ａのところの構成概略図
【図３】図３は図１の中のＢ―Ｂのところの構成概略図
【図４】図４は図１の中のＣ―Ｃのところの構成概略図
【図５】図５は図１の中のＤ―Ｄのところの構成概略図
【図６】図６は図１の中のＥのところの構成拡大概略図
【発明を実施するための形態】
【００２１】
図１〜６を合わせて上記の検査測定機能を持つ農用の用量正確な施肥装置は、主にベース１０及び旋転軸１２によって前記ベース１０と回転できるように連結された支持ロッド２８を含み、前記支持ロッド２８の中には検査測定機構１００と混合機構３００とが設置され、前記支持ロッド２８の外側には散布機構２００が設置されている。
【００２２】
前記散布機構２００は前記支持ロッドの片側端面に固定的に設置された固定ロッド３０を含み、前記固定ロッド３０の中には空きチャンバ３２が設置され、前記固定ロッド３０の下端面には前記空きチャンバ３２と連通している噴出口３１が固定的に設置され、前記噴出口３１は少なくとも一つ設置されている。
【００２３】
前記検査測定機構１００は前記支持ロッド２８の中に設置され、且つ上方に開口した水受け溝３３を含み、前記支持ロッド２８の中には前記水受け溝３３と連通した羽根車チャンバ２７が設置され、前記羽根車チャンバ２７の中には羽根軸４６が回転できるように設置され、前記羽根軸４６には羽根４５が固定的に設置され、前記支持ロッド２８の中には検査測定チャンバ３７が設置され、前記検査測定チャンバ３７の後壁には回転軸２４が左右対称的に回転できるように設置され、前記回転軸２４には回転盤２２が固定的に設置され、前記検査測定チャンバ３７の後壁の中には上スライド溝５６が左右対称的に形成されており、前記上スライド溝５６の中にはスライドブロック５１がスライドできるように設置され、前記スライドブロック５１と前記回転盤２２との間にはヒンジロッド３８がヒンジで連結され、前記検査測定チャンバ３７の後壁の中には下スライド溝５３が左右対称的に形成されており、前記下スライド溝５３の中にはスライド板５２がスライドできるように設置され、前記下スライド溝５３の底壁にはセンサー５４が固定的に設置され、前記スライド板５２と前記センサー５４との間にはバネ５５が連結され、右側の前記回転軸２４と前記羽根軸４６との間は伝動ベルトプーリ５０によって伝動できるように連結され、前記支持ロッド２８の中には四周が穴を開けたファンチャンバ２５が設置され、前記ファンチャンバ２５の頂壁にはファン軸３４が回転できるように設置され、前記ファン軸３４の外周面にはファン２６が固定的に設置され、前記ファン軸３４の下端には前記検査測定チャンバ３７の中に伸びているギヤ軸３５が連結され、前記ギヤ軸３５の下端にはベベルギヤ３６が固定的に設置され、左側の前記回転盤２２の外側レースには前記ベベルギヤ３６と噛み合える歯が設置され、風や雨の時、前記スライドブロック５１は前記センサー５４を絶えずに押圧する。
【００２４】
前記混合機構３００は前記支持ロッド２８の中に設置された肥料チャンバ２１と、農薬チャンバ４０と、混合チャンバ４１とを含み、前記支持ロッド２８の中にはバルブ機構４００が設置され、前記バルブ機構４００は前記センサー５４と通電できるように連結されたバルブモーター１６を含み、前記バルブモーター１６はしばらく前記前記スライドブロック５１と接触しないと作動し、前記バルブモーター１６が始動された後に、前記肥料チャンバ２１の中の肥料と前記農薬チャンバ４０の中の農薬とが一定の比率で前記混合チャンバ４１の中に入り、また一定の水を入れて混合する。
【００２５】
前記混合チャンバ４１の中にはウォーターポンプ４４が設置され、前記ウォーターポンプ４４は連通チャンバ２９によって前記空きチャンバ３２と連通している。
【００２６】
前記バルブ機構４００は前記支持ロッド２８の中に設置されたバルブチャンバ２０を含み、前記バルブチャンバ２０はそれぞれ前記肥料チャンバ２１と前記混合チャンバ４１と、前記農薬チャンバ４０と前記混合チャンバ４１とに連通し、前記バルブチャンバ２０の中には環状バルブ１９がスライドできるように設置され、前記環状バルブ１９の中には前後に貫通した連通穴４８が設置され、前記支持ロッド２８の中には前記混合チャンバ４１の前側に位置している連通溝４９が形成されており、前記支持ロッド２８の中にはモーターチャンバ１７が設置され、前記バルブモーター１６が前記モーターチャンバ１７の中に設置され、前記バルブモーター１６の上側には伝動板１８が動力軸１５によって連結され、前記伝動板１８と前記環状バルブ１９との間は伝動リング４３によって連結されている。
【００２７】
前記支持ロッド２８の中には外側に開口した水入りチャンバ１４が設置され、前記水入りチャンバ１４と前記連通溝４９とが連通しており、前記水入りチャンバ１４の上下壁の間には環状密封板１３がスライドできるように設置され、前記環状密封板１３の中には水入りパイプ４２が固定的に連結されている。
【００２８】
前記ベース１０の中には回転モーター１１が設置され、前記回転モーター１１と前記旋転軸１２とが動力が伝達できるように連結されている。
【００２９】
前記肥料チャンバ２１の内壁の中には第一追加注入口２３が設置されている。
【００３０】
前記農薬チャンバ４０の内壁の中には第二追加注入口３９が設置されている。
【００３１】
前記羽根車チャンバ２７の一端が外部空間に連通しており、且つ連通したところには流れガイド板４７が固定的に設置されている。
【００３２】
前記肥料チャンバ２１の中には透明ガラス板５７が設置され、前記透明ガラス板５７によって前記肥料チャンバ２１の中に残った肥料を観察できる。
【００３３】
装置全体の機械的作動の順序は：
【００３４】
１、 本装置にタイミング設定を設置し、指定された時間に達した後、本装置は通電し、前記検査測定機構１００は環境を検査測定する。
【００３５】
２、前記センサー５４がしばらく前記スライド板５２と接触しなければ、天気の条件は要求を満たし、前記バルブモーター１６を始動し、それによって前記環状バルブ１９が回転し、前記連通穴４８によって前記農薬チャンバ４０と、前記肥料チャンバ２１と、前記連通溝４９とに順次に連通し、肥料と、農薬と水とは前記混合チャンバ４１の中で混合される。
【００３６】
３、しばらくして、前記ウォーターポンプ４４を始動し、混合された肥料溶液を前記噴出口３１によって噴き出す。
【００３７】
４、前記回転モーター１１が始動されて前記支持ロッド２８を回転連動させ、前記固定ロッド３０の長さに等しい半径内の農作物を全部覆うことを実現する。
【００３８】
５、仮に風や雨の日に、前記ファン２６が回転し又は前記羽根軸４６が回転することによって、前記スライド板５２が前記センサー５４と接触し続け、この時に前記バルブモーター１６を始動することはできなく、天気がよくなった時に自動的に前記バルブモーター１６が始動されることができる。
【００３９】
上記の実施例は本発明の技術的構想と特徴を説明するだけであり、その目的は当業者に本発明内容を了解させてさらに実施させるのであり、本発明の保護範囲を制限することはできない。本発明の精神の実質に基づいて行われたすべての等価的な変化又は修飾は、本発明の保護範囲の中に含むべきである。